(57)【要約】【課題】複数の室内機の通信用アドレスを確認動作に資する空気調和機を提供する。【解決手段】複数の室内機１０には各々に固有の通信用アドレスが割り当てられる。各室内機１０は室内へと排出される気体の流動方向を調整する一以上の風向調整部１４と、風向調整部１４を経由して気体を室内へと排出するファン１８とを有している。通信用アドレスを確認するための確認モードにおいて、室内機１０のうち、風向調整部１４の動作状態とファン１８の動作状態とからなる動作パターンの総数以下の複数の確認対象室内機の各々は、自身に割り当てられた通信用アドレスに応じて、他の複数の確認対象室内機と異なる動作パターンで風向調整部及びファンの少なくともいずれか一つを動作させる。【選択図】図１
2011153762.tif 000002
【特許請求の範囲】
【請求項１】
各々に固有の通信用アドレスが割り当てられる複数の室内機（１０）を備え、
前記複数の室内機の各々は、
前記通信用アドレスを用いて自身が属する前記室内機の外部と通信する通信部（１５）と、
各々が、室内へと吹き出される気体の流動方向を独立して調整する一以上の風向調整部（１４）と、
前記一以上の風向調整部（１４）を経由して前記気体を前記室内へと吹き出すファン（１８）と
を有し、
前記通信用アドレスを確認するための確認モードにおいて、前記複数の室内機のうち、前記一以上の風向調整部の動作状態と前記ファンの動作状態とからなる動作パターンの総数以下の複数の確認対象室内機の各々は、自身に割り当てられた前記通信用アドレスに応じて、他の前記複数の確認対象室内機と異なる動作パターンで前記一以上の風向調整部及びファンの少なくともいずれか一つを動作させる、空気調和機。
【請求項２】
前記一以上の風向調整部（１４）はＮ（Ｎは自然数）個の風向調整部であって、
前記確認モードにおいて、前記複数の確認対象室内機は（２の（Ｎ＋１）乗−１）台以下であって、前記複数の確認対象室内機の各々は、前記Ｎ個の風向調整部の動作の有無および前記ファン（１８）の動作の有無の動作パターンを、他の前記複数の確認対象室内機と異ならせて、前記Ｎ個の風向調整部および前記ファンの少なくともいずれか一つを動作させる、請求項１に記載の空気調和機。
【請求項３】
前記一以上の風向調整部（１４）はＮ（Ｎは２以上の整数）個の風向調整部であって、
前記確認モードにおいて、前記複数の確認対象室内機は（２のＮ乗−１）台以下であって、前記複数の確認対象室内機において前記ファン（１８）の動作の有無が共通する、請求項２に記載の空気調和機。
【請求項４】
前記一以上の風向調整部（１４）はＮ（Ｎは自然数）個の風向調整部であって、
前記確認モードにおいて、前記複数の確認対象室内機は（２×Ｎ−１）台以下であって、前記複数の確認対象室内機の各々は、動作させる前記Ｎ個の風向調整部の個数および前記ファンの動作の有無の動作パターンを、他の前記複数の確認対象室内機と異ならせて、前記Ｎ個の風向調整部および前記ファンの少なくともいずれか一つを動作させる、請求項１に記載の空気調和機。
【請求項５】
前記一以上の風向調整部（１４）はＮ（Ｎは２以上の整数）個の風向調整部であって、
前記確認モードにおいて、前記複数の確認対象室内機は（Ｎ−１）台以下であって、前記複数の確認対象室内機において前記ファン（１８）の動作の有無が共通する、請求項４に記載の空気調和機。
【請求項６】
前記一以上の風向調整部（１４）はＮ（Ｎは２以上の整数）個の風向調整部であって、
前記複数の室内機（１０）の各々には、前記Ｎ個の風向調整部（１４）に近接した位置で、前記Ｎ個の風向調整部に対して互いに異なる記号（１９）が付記されている、請求項１乃至５のいずれか一つに記載の空気調和機。
【請求項７】
前記確認モードにおいて、各々が前記総数以下の前記複数の確認対象室内機からなるグループへと前記複数の室内機を分配し、互いに異なる時間帯において前記複数のグループ毎に、前記複数の確認対象室内機が、自身に割り当てられた前記通信用アドレスに応じて、他の前記複数の確認対象室内機と異なる動作パターンで前記一以上の風向調整部及びファンの少なくともいずれか一つを動作させる、請求項１乃至６のいずれか一つに記載の空気調和機。
【請求項８】
前記複数の室内機（１０）には連番の前記通信用アドレスが割り当てられ、
前記確認モードにおいて、前記複数のグループ毎に、前記複数の確認対象室内機の各々が、自身に割り当てられた前記通信用アドレスを前記複数の確認対象室内機の台数で除算した余りに応じた動作パターンで、前記一以上の風向調整部（１４）および前記ファン（１８）の少なくともいずれか一つを動作させる（Ｓ２３１，Ｓ２３２）、請求項７に記載の空気調和機。
【発明の詳細な説明】
【技術分野】
【０００１】
本発明は空気調和機に関し、特に複数の室内機に割り当てられた通信用アドレスを確認可能な空気調和機に関する。
【背景技術】
【０００２】
特許文献１には空気調和機が記載されている。かかる空気調和機は複数の室内機と、当該複数の室内機とそれぞれ一対一で接続されたリモートコントローラ（以下、リモコンと呼ぶ）とを備えている。
【０００３】
複数の室内機にはそれぞれ通信用アドレスが設定される。そして、各リモコンの表示部には自身と接続される室内機の通信用アドレスが表示される。そして通信用アドレスを用いて、複数の室内機と室外機（或いはクライアントマシンをも含む）とが相互に通信を行う。
【０００４】
なお本発明に関連する技術として特許文献２が開示されている。
【先行技術文献】
【特許文献】
【０００５】
【特許文献１】特開２００９−１２７８９２号公報
【特許文献２】特開平７−１９５７９号公報
【発明の概要】
【発明が解決しようとする課題】
【０００６】
特許文献１に記載の技術においては室内機とリモコンとが一対一で接続されるので、複数の室内機の通信用アドレスは表示されない。もしも一つのリモコンに対して複数の室内機が接続される場合にはリモコンと室内機との間に一対多の関係があることになるが、当該一つのリモコンに当該複数の室内機の通信用アドレスを表示することは実質的に意味がない。なぜなら、当該一つのリモコンは、当該複数の室内機の設置場所を認識していないからである。よって、通信用アドレスと室内機との対応関係を、ユーザ或いは作業員が認識できない。
【０００７】
そこで本発明は、複数の室内機の通信用アドレスを確認動作に資する空気調和機を提供することを目的とする。
【課題を解決するための手段】
【０００８】
本発明にかかる空気調和機の第１の態様は、各々に固有の通信用アドレスが割り当てられる複数の室内機（１０）を備え、前記複数の室内機の各々は、前記通信用アドレスを用いて自身が属する前記室内機の外部と通信する通信部（１５）と、各々が、室内へと吹き出される気体の流動方向を独立して調整する一以上の風向調整部（１４）と、前記一以上の風向調整部（１４）を経由して前記気体を前記室内へと吹き出すファン（１８）とを有し、前記通信用アドレスを確認するための確認モードにおいて、前記複数の室内機のうち、前記一以上の風向調整部の動作状態と前記ファンの動作状態とからなる動作パターンの総数以下の複数の確認対象室内機の各々は、自身に割り当てられた前記通信用アドレスに応じて、他の前記複数の確認対象室内機と異なる動作パターンで前記一以上の風向調整部及びファンの少なくともいずれか一つを動作させる。
【０００９】
本発明にかかる空気調和機の第２の態様は、第１の態様にかかる空気調和機であって、前記一以上の風向調整部（１４）はＮ（Ｎは自然数）個の風向調整部であって、前記確認モードにおいて、前記複数の確認対象室内機は（２の（Ｎ＋１）乗−１）台以下であって、前記複数の確認対象室内機の各々は、前記Ｎ個の風向調整部の動作の有無および前記ファン（１８）の動作の有無の動作パターンを、他の前記複数の確認対象室内機と異ならせて、前記Ｎ個の風向調整部および前記ファンの少なくともいずれか一つを動作させる。
【００１０】
本発明にかかる空気調和機の第３の態様は、第２の態様にかかる空気調和機であって、前記一以上の風向調整部（１４）はＮ（Ｎは２以上の整数）個の風向調整部であって、前記確認モードにおいて、前記複数の確認対象室内機は（２のＮ乗−１）台以下であって、前記複数の確認対象室内機において前記ファン（１８）の動作の有無が共通する。
【００１１】
本発明にかかる空気調和機の第４の態様は、第１の態様にかかる空気調和機であって、前記一以上の風向調整部（１４）はＮ（Ｎは自然数）個の風向調整部であって、前記確認モードにおいて、前記複数の確認対象室内機は（２×Ｎ−１）台以下であって、前記複数の確認対象室内機の各々は、動作させる前記Ｎ個の風向調整部の個数および前記ファンの動作の有無の動作パターンを、他の前記複数の確認対象室内機と異ならせて、前記Ｎ個の風向調整部および前記ファンの少なくともいずれか一つを動作させる。
【００１２】
本発明にかかる空気調和機の第５の態様は、第４の態様にかかる空気調和機であって、前記一以上の風向調整部（１４）はＮ（Ｎは２以上の整数）個の風向調整部であって、前記確認モードにおいて、前記複数の確認対象室内機は（Ｎ−１）台以下であって、前記複数の確認対象室内機において前記ファン（１８）の動作の有無が共通する。
【００１３】
本発明にかかる空気調和機の第６の態様は、第１乃至第５のいずれか一つの態様にかかる空気調和機であって、前記一以上の風向調整部（１４）はＮ（Ｎは２以上の整数）個の風向調整部であって、前記複数の室内機（１０）の各々には、前記Ｎ個の風向調整部（１４）に近接した位置で、前記Ｎ個の風向調整部に対して互いに異なる記号（１９）が付記されている。
【００１４】
本発明にかかる空気調和機の第７の態様は、第１乃至第６のいずれか一つの態様にかかる空気調和機であって、前記確認モードにおいて、各々が前記総数以下の前記複数の確認対象室内機からなるグループへと前記複数の室内機を分配し、互いに異なる時間帯において前記複数のグループ毎に、前記複数の確認対象室内機が、自身に割り当てられた前記通信用アドレスに応じて、他の前記複数の確認対象室内機と異なる動作パターンで前記一以上の風向調整部及びファンの少なくともいずれか一つを動作させる。
【００１５】
本発明にかかる空気調和機の第８の態様は、第７の態様にかかる空気調和機であって、前記複数の室内機（１０）には連番の前記通信用アドレスが割り当てられ、前記確認モードにおいて、前記複数のグループ毎に、前記複数の確認対象室内機の各々が、自身に割り当てられた前記通信用アドレスを前記複数の確認対象室内機の台数で除算した余りに応じた動作パターンで、前記一以上の風向調整部（１４）および前記ファン（１８）の少なくともいずれか一つを動作させる（Ｓ２３１，Ｓ２３２）。
【発明の効果】
【００１６】
本発明にかかる空気調和機の第１の態様によれば、複数の確認対象室内機が自身の通信用アドレスに応じて風向調整部及び／又はファンを異なる動作パターンで動作させる。よって、ユーザ或いは作業員は複数の確認対象室内機の通信用アドレスをまとめて確認することができる。
【００１７】
しかも、風向調整部およびファンの少なくとも何れか一つを動作させている。換言すると、風向調整部とファンのいずれもが動作しない動作パターンは確認モードでは採用されない。これにより、確認モードにおける動作とは関係なしに単に室内機が当該動作パターンを採用している場合に、当該動作パターンを確認モードにおける動作によるもとの誤認識することを回避できる。
【００１８】
本発明にかかる空気調和機の第２の態様によれば、風向調整部の動作としての複数の状態（例えば流動方向）およびファンの動作としての複数の状態（例えば風速）に依らずに、ユーザ或いは作業員は風向調整部およびファンの動作の違いを区別しやすい。
【００１９】
本発明にかかる空気調和機の第３の態様によれば、複数の確認対象室内機におけるＮ個の風向調整部の動作の有無とファンの動作の有無との動作パターンにおいて、ファンの動作は共通して同じである。よってファンの動作の有無を確認する必要がない。ファンの動作の有無は気体の流動の有無あるいは駆動音により判断する必要があるところ、動作パターンの相違を視認のみに区別することができる。よって、気体の流動を確認すべく室内機に近づく必要がなく、また周囲に騒音がある状況でも通信用アドレスを確認しやすい。
【００２０】
本発明にかかる空気調和機の第４の態様によれば、次の効果を招来する。まず複数の室内機において各風向調整部同士の対応関係が曖昧な場合がある。より詳細な一例として、各室内機が天井に配置され、各室内機が有する４つの風向調整部が天井を見上げて回転対象の位置に設けられている場合がある。この場合、一の室内機の一の風向調整部が、他の一の室内機の４つの風向調整部のいずれと対応しているのか分かりにくい。そうすると、例えば一及び他の一の室内機において一つの風向調整部が動作しているときに、これらを区別しにくい。
【００２１】
本通信用アドレス表示方法であれば、動作する風向調整部の個数を異ならせているので風向調整部の対応関係を把握する必要がない。よって、通信用アドレスを確認しやすい。
【００２２】
本発明にかかる空気調和機の第５の態様によれば、複数の確認対象室内機におけるＮ個の風向調整部の動作の有無とファンの動作の有無との動作パターンにおいて、ファンの動作は共通して同じである。よってファンの動作の有無を確認する必要がない。ファンの動作の有無は気体の流動の有無あるいは駆動音により判断する必要があるところ、動作パターンの相違を視認のみに区別することができる。よって、気体の流動を確認すべく室内機に近づく必要がなく、また周囲に騒音がある状況でも通信用アドレスを確認しやすい。
【００２３】
本発明にかかる空気調和機の第６の態様によれば、ユーザ或いは作業員は複数の風向調整部を明確に区別しやすい。よって複数の風向調整部の動作と通信用アドレスとを対応させやすい。
【００２４】
本発明にかかる空気調和機の第７の態様によれば、すべての室内機の通信用アドレスを確認できる。
【００２５】
本発明にかかる空気調和機の第８の態様によれば、風向調整部およびファンの動作と、余りとの対応関係を、複数のグループにおいて共通に用いることができる。
【図面の簡単な説明】
【００２６】
【図１】空気調和機の概念的な構成の一例を示す図である。
【図２】室内機の概観の概念的な一例を示す図である。
【図３】風向調整部の動作の概念的な一例を示す図である。
【図４】室内機の内部の概念的な構成を示す機能ブロック図である。
【図５】通信用アドレスの確認方法の一例を示すフローチャートである。
【図６】通信用アドレスの確認方法の一例を示すフローチャートである。
【図７】通信用アドレスの確認方法の一例を示すフローチャートである。
【図８】通信用アドレスの設定方法の一例を示すフローチャートである。
【図９】通信用アドレスの確認方法の一例を示すフローチャートである。
【図１０】通信用アドレスの設定方法の一例を示すフローチャートである。
【図１１】通信用アドレスの確認方法の一例を示すフローチャートである。
【発明を実施するための形態】
【００２７】
第１の実施の形態．
＜空気調和機＞
図１に例示するように、空気調和機１は複数の室内機１０とリモコン２０と複数の室外機３０と集中管理装置４０とを備えている。各室外機３０は複数の室内機１０とそれぞれ有線又は無線の通信線を介して通信可能に接続されている。図１の例示では、３台の室外機３０の各々に６台の室内機１０が接続されている。なお、室外機３０の台数は任意であり、また各室外機３０に接続される室内機１０の台数も任意である。ただし、全体として複数の室内機１０が設けられる。
【００２８】
図１の例示では、集中管理装置４０は複数の室外機３０および複数の室内機１０と通信線を介して通信可能に接続される。複数の室内機１０は集中管理装置４０及び複数の室外機３０と通信線を介してこれらと通信する。集中管理装置４０は室外機３０及び／又は室内機１０と通信し、これらの動作を管理する。なお、集中管理装置４０は必須の要件ではない。
【００２９】
図１の例示では、複数の室内機１０は有線又は無線によってリモコン２０と通信可能に接続される。複数のリモコン２０の各々が接続される室内機１０の台数は任意である。図１の例示では、一対一で室内機１０と接続されるリモコン２０と、複数の室内機１０と接続されるリモコン２０とが例示されている。また室内機１０は必ずしもリモコン２０と接続される必要はない。図１の例示では、リモコン２０と接続されない室内機１０も示されている。
【００３０】
かかる空気調和機において、複数の室内機１０にはそれぞれ固有の通信用アドレスが割り当てられる。複数の室内機１０はそれぞれ固有の通信用アドレスを用いて情報を受信する。より詳細な一例として、集中管理装置４０及び／又は室外機３０及び／又はリモコン２０は通信用アドレスを指定して情報を複数の室内機１０へと同報で送信する。複数の室内機１０は指定された通信用アドレスが自身に割り当てられた通信用アドレスと一致するがどうかを判断し、一致していれば当該情報を受け取る。
【００３１】
また例えば集中管理装置４０、室外機３０及びリモコン２０にもそれぞれ固有の通信用アドレスが割り当てられる。そして、上述したように通信用アドレスに基づいてこれらが通信を行う。
【００３２】
図２には室内機１０の概念的な概観の一例が示されている。なお、説明の簡単のために、複数の室内機１０はいずれも同じ形状を有しているものと仮定する。室内機１０は例えば天井に埋め込まれて配置される。図２は室内から天井を見たときの室内機１０の概観が例示されている。室内機１０はパネル１１を有している。パネル１１は例えば四角形状の形状を有している。パネル１１の略中央には吸入口１２が設けられている。またパネル１１の例えば吸入口１２の周りには１以上の吹き出し口１３が設けられている。図２の例示では、４つの吹き出し１３ａ〜１３ｄがパネル１１を縁取る辺に沿って配置されている。
【００３３】
また室内機１０の内部には不図示のファン（後述するファン１８）が設けられる。このファンの回転動作によって室内の空気が吸入口１２を経由して室内機１０の内部へと取り込まれる。取り込まれた空気はファン１８の回転動作によって吹き出し口１３から室内へと吹き出される。このとき、室内機１０に取り込まれた空気は室内機１０の内部で温度及び／又は湿度が調整されてもよい。
【００３４】
吹き出し口１３には風向調整部１４が設けられている。図２の例示では、４つの吹き出し口１３ａ〜１３ｄのそれぞれに風向調整部１４ａ〜１４ｄが設けられている。風向調整部１４ａ〜１４ｄはそれぞれ吹き出し口１３ａ〜１３ｄから吹き出される空気の流動方向を互いに独立して調整する。風向調整部１４ａ〜１４ｄは例えば吹き出し口１３ａ〜１３ｄの長手方向に沿って延在する板状の部材である。風向調整部１４ａ〜１４ｄは、図３に例示するように、当該長手方向Ｄ１を軸として回転可能に設けられる。
【００３５】
図４は室内機１０の内部の概念的な構成の一例を示す機能ブロック図である。室内機１０は通信部１５と制御部１６と記録部１７とファン１８と風向調整部１４とを備えている。通信部１５はリモコン２０及び／又は室外機３０及び／又は集中管理装置４０とも接続されてこれらと相互に通信する。記録部１７には自身が属する室内機１０の通信用アドレスが記録される。通信用アドレスは、例えば空気調和機の起動時に設定されて記録部１７に記録される。かかる通信用アドレスの設定方法は任意の設定方法が採用される。例えば室内機１０の製造番号が小さい順に、当該室内機１０に通信用アドレスが連番で割り当てられる。制御部１６は通信部１５を介してリモコン２０、室外機３０及び集中管理装置４０から情報を受信し、また通信部１５を介してこれらへと情報を送信する。
【００３６】
制御部１６はファン１８および風向調整部１４を制御する。風向調整部１４が複数設けられていれば、制御部１６は複数の風向調整部１４を明確に区別してこれらを制御する。より詳細には、例えば制御部１６はそれぞれ個別の配線によって複数の風向調整部１４と接続されて、これらを互いに独立して動作させる。
【００３７】
またここでは、制御部１６はマイクロコンピュータと記憶装置を含んで構成される。マイクロコンピュータは、プログラムに記述された各処理ステップ（換言すれば手順）を実行する。上記記憶装置は、例えばＲＯＭ(Read Only Memory)、ＲＡＭ(Random Access Memory)、書き換え可能な不揮発性メモリ（ＥＰＲＯＭ(Erasable Programmable ROM)等）、ハードディスク装置などの各種記憶装置の１つ又は複数で構成可能である。当該記憶装置は、各種の情報やデータ等を格納し、またマイクロコンピュータが実行するプログラムを格納し、また、プログラムを実行するための作業領域を提供する。なお、マイクロコンピュータは、プログラムに記述された各処理ステップに対応する各種手段として機能するとも把握でき、あるいは、各処理ステップに対応する各種機能を実現するとも把握できる。また、制御部１６はこれに限らず、制御部１６によって実行される各種手順、あるいは実現される各種手段又は各種機能の一部又は全部をハードウェアで実現しても構わない。
【００３８】
＜通信アドレスを確認するための確認モード＞
空気調和機１において、室内の空気の温度及び／又は湿度が調整される、或いは、単に室内の空気が循環される。かかる運転は通常運転と呼ばれる。以下では、複数の室内機１０の通信用アドレスを確認するための運転を確認モードと呼ぶ。確認モードを実行するトリガは任意である。例えばリモコン２０にかかるトリガを入力する入力部が割り当てられてもよい。或いは、当該入力部は室内機１０、室外機３０及び集中管理装置４０の何れかに設けられていてもよく、また専用の装置に設けられていてもよい。専用の装置は複数の室内機１０と相互に通信可能である。
【００３９】
以下では、一例として集中管理装置４０に当該入力部が設けられていると仮定して説明する。また、以下の説明では、実質的に制御部１６が行う動作の主体を室内機１０と表現する。同じく、実質的には集中管理装置４０の内部に設けられる制御部が行う動作の主体を集中管理装置４０と表現する。この内容は後述する他の実施の形態でも同様である。
【００４０】
また説明の簡単のために、複数の室内機１０の一例として、まず５台の室内機１０Ａ〜１０Ｅについて説明する。かかる５台の室内機１０Ａ〜１０Ｅは複数の室外機３０に分配されて接続されていてもよく、１台の室外機３０に接続されていてもよい。また集中管理装置４０から室内機１０への送信は、室外機３０を経由してもよく、また直接に行われてもよい。また室内機１０Ａ〜１０Ｅとリモコン２０との接続関係についても任意である。これらの内容は後述する他の実施の形態においても同様である。
【００４１】
室内機１０Ａ〜１０Ｅには通信用アドレスＡ１〜Ａ５が設定されている。なお確認モードにおいて、通信用アドレスを確認する対象となる室内機１０を確認対象室内機とも呼ぶ。ここでは室内機１０Ａ〜１０Ｅが確認対象室内機に相当する。
【００４２】
図５には、通信用アドレスの表示方法（確認モードにおける動作）を示すフローチャートの一例が示されている。まず、ステップＳ１０にて、例えば集中管理装置４０は、通信用アドレスを確認するための入力部が操作されたかどうかを判断する。
【００４３】
ステップＳ１０にて入力部が操作されていないと判断されると再びステップＳ１０が実行される。ステップＳ１０にて入力部が操作されたと判断されると、以下に説明する確認モードが実行される。
【００４４】
ステップＳ１１にて、ステップＳ１１にて集中管理装置４０は室内機１０Ａ〜１０Ｅへと指令を送信する。当該指令を受け取った各室内機１０Ａ〜１０Ｅは、自身に割り当てられた通信用アドレスＡ１〜Ａ５に応じて、風向調整部１４の動作状態およびファン１８の動作状態からなる動作パターンを互いに異なせて風向調整部１４およびファン１８の少なくともいずれかを動作させる。以下、通信用アドレスに応じた風向調整部１４の動作とファン１８の動作の一例を詳述する。
【００４５】
例えば室内機１０Ａは通信用アドレスＡ１に対応してファン１８を動作させる。室内機１０Ｂは通信用アドレスＡ２に対応して１つの風向調整部１４ａを動作させる。室内機１０Ｃ〜１０Ｅは通信用アドレスＡ３〜Ａ５に対応してそれぞれ１つの風向調整部１４ｂ〜１４ｄを動作させる。このように、室内機１０Ａ〜１０Ｅ同士では通信用アドレスが相互に異なり、通信用アドレス毎に室内機１０Ａ〜１０Ｅの動作パターンが異なるので、ユーザ或いは作業員（以下、単にユーザと呼ぶ）は風向調整部１４およびファン１８の動作パターンの違いを確認することで、複数の室内機１０Ａ〜１０Ｅの通信用アドレスＡ１〜Ａ５をまとめて確認することができる。なお、風向調整部１４およびファン１８の動作パターンと通信用アドレスＡ１〜Ａ５との対応関係を示した資料が予め作成されておいてもよい。これにより、ユーザは対応関係を容易に認識できる。あるいは風向調整部１４およびファン１８の動作パターンと、通信用アドレスとの対応関係を集中管理装置４０又はリモコン２０に表示させても良い。
【００４６】
なお風向調整部１４ａ〜１４ｄを明確に区別すべく、各室内機１０にはそれぞれ風向調整部１４ａ〜１４ｄに近接した位置で、風向調整部１４ａ〜１４ｄに対して互いに異なる記号１９が付記されていることが望ましい。かかる記号１９は例えば印刷ロゴやパネル１１の形状によって表現される。図２の例示では、風向調整部１４ａ〜１４ｄに近接した位置においてパネル１１にそれぞれ１〜４の数字が記号１９として付記される。これによって、ユーザは風向調整部１４ａ〜１４ｄの動作を容易に識別することができる。
【００４７】
もちろん記号１９は必須要件ではない。複数の室内機１０Ａ〜１０Ｅを設置する際に予め風向調整部１４ａ〜１４ｄの設置の向きを揃え、ユーザがその向きを認識していてもよい。
【００４８】
また風向調整部１４ａ〜１４ｄの動作は例えば往復運動により実行されてもよい。これにより、風向調整部１４ａ〜１４ｄの視認性を高めることができる。
【００４９】
また風向調整部１４およびファン１８の動作パターンと、通信用アドレスとの対応関係は、例えばテーブルとして記録部１７或いは集中管理装置４０に設けられた記録部に記録されていればよい。集中管理装置４０に記録されている場合であれば、集中管理装置４０がテーブルを参照して、通信用アドレスＡ１〜Ａ５と、これに応じて動作させるべき風向調整部１４およびファン１８を指定して室内機１０Ａ〜１０Ｅに送信する。記録部１７に記録されている場合であれば、集中管理装置４０が通信用アドレスＡ１〜Ａ５を指定して指令を室内機１０Ａ〜１０Ｅに送信する。そして受け取った室内機１０Ａ〜１０Ｅが記録部１７のテーブルを参照して通信用アドレスＡ１〜Ａ５に応じて風向調整部１４およびファン１８の少なくともいずれか一つを動作させる。これらの内容は後述する他の実施の形態でも同様である。
【００５０】
以上のように、確認モードにおける上記動作によって、複数の室内機１０の通信用アドレスをまとめて確認できる。この効果は、特許文献１とは異なって、一つのリモコン２０に複数の室内機１０が接続されていても招来する。複数の室内機１０の通信用アドレスを纏めて確認することは、次の状況で特に有効である。例えば各室内機１０に対して、通信用アドレスを指定して空調運転のスケジュール（運転させる時間帯など）を設定することができる空気調和機がある。かかるスケジュールの設定は、例えば集中管理装置４０に対してユーザが通信用アドレスとスケジュールとを指定して行われる。上述した空気調和機によれば室内機１０の通信用アドレスを纏めて確認することができるので、スケジュール設定に要する時間を短縮できる。また各室内機１０に異常が発生した場合に、例えば集中管理装置４０にその異常が発生した室内機１０の通信用アドレスと、その異常の内容が示される空気調和機がある。かかる空気調和機において、複数の室内機１０に同時に異常が発生している場合、複数の室内機１０の通信用アドレスを纏めて確認できるので、確認に要する時間を短縮できる。なおこれらの空気調和機に設けられる室内機１０の台数が多いほどその効果は高い。
【００５１】
しかも、室内機１０に既設の風向調整部１４を用いて通信用アドレスを確認できるので、製造コストの増大を抑制できる。また、室内機１０の設置場所を集中管理装置４０に入力する必要がないので、かかる入力によるヒューマンエラーを回避することができる。
【００５２】
次に、一度の処理でまとめて通信用アドレスを確認可能な室内機１０の台数について考察する。当該台数は即ち、相互に動作パターンが異なる室内機の台数の最大値である。Ｎ個の風向調整部１４の各々の動作の有無の組み合わせ（動作パターンの数）は２＾Ｎ通りである。ここで、ｘ＾ｙとの表記はｘのｙ乗を意味する（以下、同様）。ファン１８の動作の有無は２通りである。よって、これらの動作パターンの数は２＾（Ｎ＋１）である。ただし、Ｎ個の風向調整部１４とファン１８とのいずれもが動作しない動作パターンは、通信用アドレスと対応させないことが望ましい。なぜなら、室内機１０が指令を受けていないときにも当該動作パターンが採用されるからである。これにより、確認モードにおける動作とは関係なしに室内機が動作パターンを採用している場合に、当該動作パターンを確認モードにおける動作によるものと誤認識することを回避できる。
【００５３】
したがって、採用される動作パターンの総数は（２＾（Ｎ＋１）−１）である。かかる動作パターンによって（２＾（Ｎ＋１）−１）個の通信用アドレスを表現することができる。よってステップＳ１１は（２＾（Ｎ＋１）−１）台以下の室内機１０によって実行される。
【００５４】
なお、風向調整部１４およびファン１８の動作パターンの違いを、風向調整部１４の動作の有無およびファン１８の動作の有無によって表現しなくてもよい。例えば風向調整部１４は図３に例示するように、複数の回転位置で停止可能である。よって風向調整部１４の回転位置によってその動作を異ならせてもよい。また例えばファン１８はその回転速度によって室内へと吹き出させる空気の速度（風速）を調整できる。よってファン１８の回転速度によってその動作を異ならせてもよい。
【００５５】
この場合、通信用アドレスをまとめて確認可能な室内機１０の台数は上述した台数に制限されない。より詳細に考察する。各風向調整部１４にはＭ（Ｍは２以上の整数）段階の動作状態があり、ファン１８にはＰ（Ｐは２以上の整数）段階の動作状態があると仮定する。Ｎ個の風向調整部１４の動作状態の組み合わせはＭ＾Ｎ通りである。ファン１８の動作状態の組み合わせはＰ通りである。よって、Ｎ個の風向調整部の動作状態とファン１８の動作状態からなる動作パターンの総数はＰ×Ｍ＾Ｎである。Ｎ個の風向調整部１４とファン１８とのいずれもが動作しない動作パターンを除くと、採用される動作パターンの総数は（Ｐ×Ｎ＾Ｍ−１）である。したがって、ステップＳ１１は（Ｐ×Ｎ＾Ｍ−１）台以下の室内機１０によって実行される。
【００５６】
ただし、風向調整部１４の動作の有無およびファン１８の動作の有無の動作パターンを採用すれば、次の利点を招来する。即ち、ユーザは、風向調整部１４の動作としての複数の状態（例えば回転位置）およびファン１８の動作としての複数の状態（例えば風速）に依らずに、動作パターンを確認できる。よって通信用アドレスを確認しやすい。
【００５７】
また、次のような対応関係を採用してもよい。まず各室内機１０には連番の通信用アドレスが割り当てられる。割り当てられる通信用アドレスの最小は１である。かかる通信用アドレスの割り当ては公知技術であるのでここでは詳細な説明は省略する。そして、ファン１８および各風向調整部１４をそれぞれ２進数表記の桁と見なす。例えばファン１８を２の４乗の桁、風向調整部１４ａを２の３乗の桁、風向調整部１４ｂを２の２乗の桁、風向調整部１４ｃを２の１乗の桁、風向調整部１４ｄを２の０乗の桁、とそれぞれみなす。また動作ありを数字の「１」と、動作なしを数字の「０」と、それぞれ見なす。これによって、風向調整部１４ａ〜１４ｄとファン１８の動作パターンによって２進数の数字を表現できる。
【００５８】
そして２進数で把握した通信用アドレスの数字と、ファン１８および各風向調整部１４の動作で表現した数字とを一致させる。例えば通信用アドレスが５であればその２進数は「００１０１」である。よって、通信用アドレスが５である室内機においてファン１８と風向調整部１４ａ，１４ｃを動作させずに、風向調整部１４ｂ，１４ｄを動作させる。ユーザはかかる動作を視認して２進数における通信用アドレスの数字を容易に認識することができる。
【００５９】
以下、通信用アドレスの表示方法の他の例について、主として第１の実施の形態との相違点を説明する。
【００６０】
第２の実施の形態．
第２の実施の形態にかかる空気調和機の概念的な構成は図１に示すそれと同一である。ここでは、一例として空気調和機は４つの室内機１０Ａ〜１０Ｄを有している。４つの室内機１０Ａ〜１０Ｄにはそれぞれ通信用アドレスＡ１〜Ａ４が割り当てられている。なおここでは室内機１０Ａ〜１０Ｄが確認対象室内機に相当する。
【００６１】
次に通信用アドレスの確認方法について説明する。図５のフローチャートにおいて、ステップＳ１１の具体的な動作が相違する。より詳細には、各室内機１０Ａ〜１０Ｄにおいてファン１８の動作が共通する。
【００６２】
例えばステップＳ１１にて、各室内機１０は自身に割り当てられた通信用アドレスに応じて、各風向調整部１４の動作の有無の動作パターンを互いに異ならせて風向調整部１４のみを動作させる。換言すればファン１８は動作させない。より詳細な一例として、室内機１０Ａ〜１０Ｄは通信用アドレスＡ１〜Ａ４に応じてそれぞれ風向調整部１４ａ〜１４ｄを一つ動作させる。
【００６３】
或いはステップＳ１１にて、室内機１０のいずれもがファン１８を動作させつつ、各室内機１０Ａ〜１０Ｄは各風向調整部１４の動作の有無の動作パターンを互いに異ならせて風向調整部１４のみを動作させる。
【００６４】
以上のように、各室内機１０Ａ〜１０Ｄにおいてファン１８の動作が共通しているので、ファン１８の動作は動作パターンの相違点とはならない。したがってユーザはファン１８の動作を確認する必要がない。ファン１８の動作の有無は空気の流動や駆動音により判別する必要があるところ、空気の流動を確認する手間が省け、また周囲に騒音がある状況でも通信用アドレスを確認しやすい。
【００６５】
次に、まとめて確認可能な室内機１０の台数について考察する。Ｎ個の風向調整部１４の各々の動作の有無の動作パターンの数は２＾Ｎである。第１の実施の形態でも説明したように、Ｎ個の風向調整部１４のいずれもが動作しない場合は、通信用アドレスと対応させないことが望ましい。よって、（２＾Ｎ−１）通りの風向調整部１４及びファン１８の動作パターンによって、（２＾Ｎ−１）個の通信用アドレスを表現することができる。したがって、ステップＳ１１は（２＾Ｎ−１）台以下の室内機１０によって実行される。
【００６６】
なお、第１の実施の形態のように、各風向調整部１４の動作状態（例えば回転位置）およびファン１８の動作状態（例えば回転速度）の動作パターンを相違させてもよい。また上述した内容から換言すれば、ファン１８の動作をも異ならせれば、まとめて確認できる室内機１０の台数を増大できることが理解できる。
【００６７】
第３の実施の形態．
第３の実施の形態にかかる空気調和機の概念的な構成は図１に示すそれと室内機１０の台数を除いて同一である。第１及び第２の実施の形態では、ユーザは風向調整部１４ａ〜１４ｄを明確に区別してその動作の相違を認識する必要がある。例えば一つの風向調整部１４が動作していたとしても、かかる一つの風向調整部１４が風向調整部１４ａ〜１４ｄのいずれであるのかを判別する必要がある。
【００６８】
そこで第３の実施の形態では、複数の風向調整部１４の厳密な区別なしに通信用アドレスを確認することができることを目的とする。ここでは、一例として空気調和機は５つの室内機１０Ａ〜１０Ｅを有している。５つの室内機１０Ａ〜１０Ｅにはそれぞれ通信用アドレスＡ１〜Ａ５が割り当てられている。ここでは５つの室内機１０Ａ〜１０Ｅが確認対象室内機に相当する。
【００６９】
次に通信用アドレスの確認方法について説明する。図５のフローチャートにおいて、ステップＳ１１の具体的な動作が相違する。ステップＳ１１において、各室内機１０は自身に割り当てられた通信用アドレスに応じて、動作させる風向調整部１４ａ〜１４ｄの個数とファン１８の動作の有無との動作パターンを互いに異ならせて、ファン１８および風向調整部１４ａ〜１４ｄの少なくともいずれか一つを動作させる。
【００７０】
より詳細な一例について説明する。室内機１０Ａは通信用アドレスＡ１に応じてファン１８のみを動作させる。室内機１０Ｂは通信用アドレスＡ２に応じてファン１８と風向調整部１４ａ〜１４ｄのうち１つとを動作させる。室内機１０Ｃは通信用アドレスＡ３に応じてファン１８と風向調整部１４ａ〜１４ｄのうち２つとを動作させる。室内機１０Ｄは通信用アドレスＡ４に応じてファン１８と風向調整部１４ａ〜１４ｄのうち３つとを動作させる。室内機１０Ｅは通信用アドレスＡ５に応じてファン１８と風向調整部１４ａ〜１４ｄのうち５とを動作させる。
【００７１】
以上のように、動作させる風向調整部１４ａ〜１４ｄの個数の相違によって、異なる通信用アドレスを表現している。よって、ユーザは風向調整部１４ａ〜１４ｄを厳密に区別する必要がない。したがって、容易に通信用アドレスを確認できる。
【００７２】
なお、第２の実施の形態のようにファン１８の動作を共通させて通信用アドレスを表現してもよい。
【００７３】
＜変形例＞
なお、図３に例示する４つの風向調整部１４において、その２つを動作させる場合には互いに区別可能な２通りの第１及び第２動作がある。第１動作においては、４つの風向調整部１４のうち、互いに隣り合う２つの風向調整部１４（例えば風向調整部１４ａ，１４ｂ）を動作させる。第２の動作においては、４つの風向調整部のうち互いに対向する２つの風向調整部１４（例えば風向調整部１４ａ，１４ｃ）を動作させる。これらの第１および第２の動作は、異なる動作パターンとしてユーザは容易に識別できる。
【００７４】
よって、かかる第１及び第２の動作を異なる動作パターンとして採用する。即ち、風向調整部１４の個数を異ならせた動作パターンの数は４通りあり、そのうち２個の風向調整部１４を動作させる動作パターンの数は第１動作および第２動作の２通りがある。よって、４つの風向調整部１４の動作パターンの数は５である。かかる動作によっても、風向調整部１４を厳密に区別することなく風向調整部１４の動作パターンの相違を確認できる。
【００７５】
第４の実施の形態．
第４の実施の形態にかかる空気調和機の概念的な構成は図１に示すそれと室内機１０の台数を除いて同一である。ここでは、一例として空気調和機は１０台の室内機１０Ａ〜１０Ｊを有している。１０台の室内機１０Ａ〜１０Ｊにはそれぞれ通信用アドレスＡ１〜Ａ１０が割り当てられている。
【００７６】
第４の実施の形態では、複数の室内機１０を複数のグループに分けて、グループ毎に異なる時間帯において第１乃至第３の実施の形態のいずれかで述べたステップＳ１１を実行する。各グループに属する室内機１０の台数は、ステップＳ１１において採用される動作パターンの総数以下、即ち通信用アドレスを確認可能な台数である。例えば１０台の室内機１０Ａ〜１０Ｊは５つの室内機１０Ａ〜１０Ｅと５つの室内機１０Ｆ〜１０Ｊの２つの第１及び第２のグループに分配される。
【００７７】
なおかかる第１グループに属する室内機１０Ａ〜１０Ｅと、第２グループに属する室内機１０Ｆ〜１０Ｊが確認対象室内機に相当する。また上記分配は集中管理装置４０が実行すると仮定して説明する。
【００７８】
そして、グループ毎に異なる時間帯で、通信用アドレスの確認動作（第１乃至第３の実施の形態で説明したステップＳ１１）を行う。以下、図６を参照して通信用アドレスの表示方法の一例について詳述する。ステップＳ２０は図５におけるステップＳ１０と同じである。
【００７９】
次にステップＳ２１にて、例えば集中管理装置４０は自身が備える表示部に第１及び第２のグループを選択可能に表示する。かかる第１及び第２のグループは、集中管理装置４０に設けられた操作部をユーザが操作することにより選択される。ユーザは確認したいグループを選択すべく操作部を操作する。なお、かかる選択を助けるべく、第１及び第２のグループとともに、これらに属する室内機１０の通信用アドレスを表示部に表示してもよい。ただし、実際に設置された室内機１０と通信用アドレスとの対応関係は表示されない。集中管理装置４０は室内機１０の実際の設置場所を認識していないためである。
【００８０】
次にステップＳ２２にて、集中管理装置４０は第１及び第２のグループのいずれかが選択されたかどうかを判断する。ステップＳ２２にて選択されたと判断すると、ステップＳ２３にて、集中管理装置４０は選択されたグループに属する室内機１０へと指令を送信する。当該指令を受け取った室内機１０は、自身に割り当てられた通信用アドレスに応じて、室内機１０同士で互いに異なるように風向調整部１４ａ〜１４ｄおよびファン１８の少なくともいずれかを一つを動作させる。かかる動作としては第１乃至第３の実施の形態のいずれかで述べたステップＳ１１の動作が採用される。
【００８１】
次にステップＳ２４にて、集中管理装置４０は操作部から処理を終了させるための入力部がユーザによって操作されたかどうかを判断する。かかる判断は入力部の操作を所定期間待ちつつ実行されるとよい。ステップＳ２４にて終了のための入力部が操作されていないと判断すれば再びステップＳ２２が実行される。ステップＳ２４にて終了のための入力部が操作されたと判断すると、処理を終了する。
【００８２】
なお、図６の例示では、ユーザによるグループの選択を必要としているが、これに限らない。ステップＳ２０にて肯定的な判断がなされれば、第１のグループにおける通信用アドレスの確認動作（ステップＳ２３）を実行し、第１グループにおける動作の開始から所定期間が経過したことを以って、第２のグループにおいて通信用アドレスの確認動作（ステップＳ２３）を実行してもよい。
【００８３】
以上のように、第１及び第２のグループは、風向調整部１４およびファン１８の動作パターンの総数以下を台数とする室内機１０をそれぞれ有する。そして第１及び第２のグループを異なる時間帯で動作させているので、たとえ室内機１０の総台数が風向調整部１４ａ〜１４ｄおよびファン１８の動作パターンの総数よりも多くとも、すべての室内機１０の通信用アドレスを確認することができる。
【００８４】
なお、かかる通信用アドレスの確認方法では、風向調整部１４ａ〜１４ｄおよびファン１８の動作パターンと、通信用アドレスＡ１〜Ａ５との第１対応関係と、風向調整部およびファン１８の動作パターンと通信用アドレスＡ６〜Ａ１０との第２対応関係とが必要である。よって、グループの数が増大するほど多くの対応関係を要する。そこで、以下の処理により、複数のグループにおいてかかる対応関係を共通化することが望ましい。
【００８５】
まず、複数の室内機１０に連番の通信用アドレスを割り当てる。かかる通信用アドレスの割り当ては公知技術であるので詳細な説明は省略するが、例えば室内機１０の製造番号が小さい順に連番の通信用アドレスが割り当てられる。
【００８６】
そしてグループ毎に室内機１０を次のように動作させる。まず各グループに属する室内機１０に割り当てられた通信用アドレスを、当該グループに属する室内機１０の台数で除算したときの余りを算出する。そして当該グループに属する室内機１０は当該余りに応じて互いに異なる動作パターンで風向調整部１４およびファン１８の少なくとも何れか一つを動作させる。
【００８７】
以下、図７の例示を参照してより具体的に説明する。室内機１０Ａ〜１０Ｊにはそれぞれ通信用アドレス０〜９が割り当てられていると仮定する。
【００８８】
ステップＳ２３１にて、例えば集中管理装置４０は、選択されたグループに属する室内機１０の通信用アドレスを、選択されたグループに含まれる室内機１０の台数で除算して余りを算出する。例えば第１のグループが選択されていれば、これに属する室内機１０Ａ〜１０Ｅの通信用アドレス０〜４が、室内機１０Ａ〜１０Ｅの台数、即ち５で除算されて、余りが算出される。余りはそれぞれ０〜４である。そして室内機１０Ａ〜１０Ｅは自身に割り当てられた通信用アドレス０〜４についての余り０〜４に応じた動作パターンで風向調整部１４およびファン１８の少なくともいずれか一つを動作させる。
【００８９】
また第２のグループが選択されていれば、これに属する室内機１０Ｆ〜１０Ｊの通信用アドレス５〜９が室内機１０Ｆ〜１０Ｊの台数、即ち５で除算されて余りが算出される。余りはそれぞれ０〜４である。そして、そして室内機１０Ｆ〜１０Ｊは自身に割り当てられた通信用アドレス５〜９についての余り０〜４に応じた動作パターンで風向調整部１４およびファン１８の少なくともいずれか一つを動作させる。
【００９０】
以上のように、第１および第２のグループにおいて、余りと、風向調整部１４およびファン１８の動作パターンとの対応関係を共通して用いることができる。よって、例えば記録部１７或いは集中管理装置４０の記録部に記録される容量を低減できる。
【００９１】
なお、各グループに属する室内機１０の台数が相違するときには、最も台数の多いグループについての対応関係を用いればよい。
【００９２】
第５の実施の形態．
第１乃至第４の実施の形態では、Ｎ個の風向調整部１４はいずれも独立して制御可能であることを前提として説明された。かかるＮ個の風向調整部１４を有する室内機１０を以下、独立室内機１０とも呼ぶ。第５の実施の形態においては、空気調和機は、複数の風向調整部１４が互いに連動して制御される室内機１０（以下、非独立室内機１０とも呼ぶ）を含む。互いに連動して制御される複数の風向調整部１４の動作の有無の動作パターンの数は動作／非動作の２通りである。
【００９３】
非独立室内機１０において、ファン１８の動作の有無と、風向調整部１４の一組の動作の有無との動作パターンの数は４（＝２×２）である。そしてファン１８とＮ個の風向調整部１４のいずれもが動作しない場合を除くと、動作パターンの数は３である。
【００９４】
よって、まとめて通信用アドレスを確認できる複数の確認対象室内機は、３台以下の非独立室内機１０と複数の独立室内機１０を含む。ただし、複数の確認対象室内機の総数は動作パターンの総数以下である。そして、確認モードにおいて、３台以下の非独立室内機１０は互いに異なる動作パターンでファン１８および風向調整部１４の一組の少なくともいずれか一方を動作させ、独立室内機１０は、自身に割り当てられた通信用アドレスに応じて、他の確認対象室内機とは異なる動作パターンでファン１８および風向調整部１４の少なくともいずれか一つを動作させる。以下、具体的な一例について説明する。
【００９５】
非独立室内機１０においては動作パターンの数が３であるので、３台以下の独立室内機１０の通信用アドレスを、かかる３つの動作パターンで表現することができる。
【００９６】
一方、上述したように、独立室内機１０においてファン１８の動作の有無とＮ個の風向調整部１４の動作の有無との動作パターンの数は、２＾（Ｎ＋１）である。そして、ファン１８とＮ個の風向調整部１４のいずれもが動作しない場合を除くと、その動作パターンの数は（２＾（Ｎ＋１）−１）である。この独立室内機１０における（２＾（Ｎ＋１）−１）の動作パターンには、非独立室内機１０における３つの動作パターンも含まれる。
【００９７】
そこで、非独立室内機１０における３つの動作パターンを優先的に非独立室内機１０の通信用アドレスと対応させる。そしてこの３つの動作パターンを除いた残りの動作パターンを独立室内機１０の通信用アドレスと対応させる。
【００９８】
かかる対応関係を採用して、例えば第１の実施の形態で説明したステップＳ１１を実行させる。なお、非独立室内機１０における動作パターンの数は３であるので、３台以下の非独立室内機１０を含んだ（２＾（Ｎ＋１）−１）台の室内機１０が第１の実施の形態で説明したステップＳ１１を実行する。換言すれば、３台以下の非独立室内機１０の各々は自身に割り当てられた通信用アドレスに応じて、他の非独立室内機１０と異なる動作パターンで風向調整部１４の一組およびファン１８の少なくとも何れか一方を動作させる。独立室内機１０の各々は自身に割り当てられた動作パターンに応じて、非独立室内機１０を含む他の室内機１０と異なる動作パターンで風向調整部１４およびファン１８の少なくとも何れか一つを動作させる。
【００９９】
これにより、ユーザは３台以下の非独立室内機１０と独立室内機１０とに割り当てられた通信用アドレスをまとめて確認できる。
【０１００】
以下では具体的な一例について、第４の実施の形態に記載の技術を適用して詳述する。各室内機１０の記録部１７には自身が属する室内機１０が独立室内機１０であるのか非独立室内機１０であるのかの情報が記録される。そして図８に例示する処理に従って、室内機１０に通信用アドレスが割り当てられる。
【０１０１】
図８の処理は例えば集中管理装置４０が主体となって実行する。まずステップＳ３０にて、集中管理装置４０は複数の室内機１０に非独立室内機１０が含まれているかどうかを判断する。かかる判断は、集中管理装置４０の問い合わせに各複数の室内機１０が応答することで実現される。
【０１０２】
ステップＳ３０にて非独立室内機１０が含まれていないと判断されると、ステップＳ３２にて集中管理装置４０は全ての室内機１０に連番の通信用アドレスを割り当てて処理を終了する。
【０１０３】
ステップＳ３０にて非独立室内機１０が含まれていると判断されると、ステップＳ３１にて集中管理装置４０は非独立室内機１０の台数を２で除算した値に対して、小数点を切り上げた整数Ｍを算出する。
【０１０４】
次にステップＳ３３にて集中管理装置４０は全ての非独立室内機１０に対して、１０進数で１の桁が０か１である数字を通信用アドレスとしてそれぞれ割り当てる。例えば非独立室内機１０は、その製造番号の小さい順に、通信用アドレス０，１，１０，１１・・・１０Ｍ，１０Ｍ＋１が割り当てられる。ただし、非独立室内機１０の台数が奇数であれば、製造番号の最も大きい非独立室内機１０には通信用アドレス１０Ｍが割り当てられる。
【０１０５】
次にステップＳ３４にて、集中管理装置４０は全ての独立室内機１０に対して、非独立室内機１０に割り当てた通信用アドレス以外の通信用アドレスを割り当てる。例えば１０進数で１の桁が２〜９である数字を通信用アドレスとしてそれぞれ独立室内機１０に割り当てられる。より詳細には、例えば独立室内機１０はその製造番号の小さい順に、通信用アドレス２〜９，１２〜１９・・・が割り当てられる。但し、例えば非独立室内機１０の台数が３台であって独立室内機１０が１７台であれば、３台の非独立室内機１０には、１，２，１１が通信用アドレスとして割り当てられ、１７台の独立室内機１０には２〜９及び１１〜２０が通信用アドレスとして割り当てられても構わない。
【０１０６】
次に図９を参照して、通信用アドレスの確認方法の一例を説明する。まず複数の室内機１０は１０個ごとにグループに分配される。より詳細には、通信用アドレス１０Ｍ〜１０Ｍ＋９が割り当てられた室内機１０が第Ｍのグループに分配される。かかる分配は例えば集中管理装置４０によって実行される。以下では、各グループに属する１０台の室内機１０の通信用アドレスをそれぞれ第１乃至第１０の通信用アドレスとも呼称する。
【０１０７】
図８の処理及び上記分配により、各グループに属する非独立室内機１０の台数を３台以下とすることができる。なお、独立室内機１０および非独立室内機１０の台数によっては、独立室内機１０が属さないグループあるいは非独立室内機１０が属さないグループも存在する。例えば５台の独立室内機１０と５台の非独立室内機１０が設けられている場合、これらは、２台の非独立室内機１０と５台の独立室内機１０とを有する第１グループと、２台の非独立室内機１０を有する第２グループと、１台の非独立室内機１０を有する第３グループとに分配される。
【０１０８】
ステップＳ４０，Ｓ４１はステップＳ２１，Ｓ２２と同じであるので詳細な説明は省略する。次に、ステップＳ４２にて、集中管理装置４０は値ｎを１に初期化する。値ｎは選択されたグループに属する室内機１０の台数である。次にステップＳ４３にて、集中管理装置４０は選択されたグループに属する室内機１０の第ｎの通信用アドレスを、選択されたグループに属する室内機１０の個数、ここでは１０で除算して余りを算出する。そして当該余りが０と等しいかどうかを判断する。
【０１０９】
ステップＳ４３にて当該余りが０に等しいと判断されると、ステップＳ４４にて集中管理装置４０は第ｎの通信用アドレスが割り当てられた室内機１０へと、全ての風向調整部１４ａ〜１４ｄとファン１８とを動作させる指令を送信する。かかる指令を受け取った室内機１０は全ての風向調整部１４ａ〜１４ｄとファン１８とを動作させる。ユーザはかかる動作パターンを確認して、その通信用アドレスを確認できる。
【０１１０】
ステップＳ４３にて当該余りが０に等しくないと判断されると、ステップＳ４５にて集中管理装置４０は当該余りが１に等しいかどうかを判断する。ステップＳ４５にて１に等しいと判断すると、ステップＳ４６にて集中管理装置４０は第ｎの通信用アドレスが割り当てられた室内機１０へとファン１８を動作させずに全ての風向調整部１４ａ〜１４ｄを動作させる指令を送信する。かかる指令を受け取った室内機１０はファン１８を動作させずに風向調整部１４ａ〜１４ｄを動作させる。ユーザはかかる動作パターンを確認して、その通信用アドレスを確認できる。
【０１１１】
ステップＳ４５にて当該余りが１に等しくないと判断されると、ステップＳ４７にて集中管理装置４０は、第ｎの通信用アドレスに応じた動作パターンで風向調整部１４およびファン１８の少なくとも何れか一つを動作させるように、第ｎの通信用アドレスが割り当てられた室内機１０へと指令を送信する。
【０１１２】
ただし、ステップＳ４７において採用される、風向調整部１４の動作およびファン１８の動作パターンと第ｎの通信用アドレスとの対応関係には、ステップＳ４４，Ｓ４６にて採用される動作パターンが含まれない。即ち、ステップＳ４４，Ｓ４６の動作パターンは優先的に非独立室内機１０の通信用アドレスと対応させられる。
【０１１３】
ステップＳ４４，Ｓ４６，Ｓ４７のいずれかを実行すると、ステップＳ４８にて集中管理装置４０は値ｎに１を加算する。次にステップＳ４９にて、集中管理装置４０は加算後の値ｎが１０よりも大きいかどうかを判断する。ステップＳ４９にて加算後の値ｎが１０よりも大きくないと判断されるとステップＳ４３を再び実行する。ステップＳ４９にて加算後の値ｎが１０よりも大きいと判断されると、ステップＳ５０にて集中管理装置４０は処理を終了させるための入力部がユーザによって操作されたかどうかを判断する。かかる判断は入力部の操作を所定期間待ちつつ実行されるとよい。ステップＳ５０にて終了のための入力部が操作されていないと判断すれば再びステップＳ４１が実行される。ステップＳ５０にて終了のための入力部が操作されたと判断すると、処理を終了する。
【０１１４】
以上のように、グループ毎の非独立室内機１０を３個以下とし、非独立室内機１０における３つの動作パターンを非独立室内機１０に優先的に対応させている。図８，９の例では、各グループの非独立室内機１０を２台或いは１台し、ファン１８と全ての風向調整部１４ａ〜１４ｄを動作させる第１動作パターンと風向調整部１４ａ〜１４ｄを全て動作させる第２動作パターンとを、非独立室内機１０の通信用アドレス１０Ｍ，１０Ｍ＋１に対応させている。そして、独立室内機１０の通信用アドレス１０Ｍ＋２，・・・，１０Ｍ＋９に対しては、第１及び第２の動作パターンを除いた動作パターンのうち何れかと対応させている。よって、３台以下の室内機１０を含むグループ毎に室内機１０の通信用アドレスをまとめて確認できる。またグループ毎に異なる時間で動作させるので、空気調和機１が４台以上の非独立室内機１０を含んでいたとしても、全ての室内機１０の通信用アドレスを確認できる。
【０１１５】
第６の実施の形態．
第６の実施の形態においても、少なくとも一つの独立室内機１０と少なくとも一つの非独立室内機１０とが設けられている。
【０１１６】
確認モードにおいて、非独立室内機１０は所定の時間帯において単独で風向調整部１４の一組およびファン１８の少なくとも何れか一つを動作させる。また所定の時間帯とは異なる時間帯において、複数の確認対象室内機としての複数の独立室内機１０は自身に割り当てられた通信用アドレスに応じて互いに異なる動作パターンで風向調整部１４およびファン１８の少なくとも何れか一つを動作させる。
【０１１７】
以下、図１０，１１を参照して具体的な一例について説明する。図１０では室内機１０へと通信用アドレスを割り当てる処理が示されている。図１０の処理は例えば集中管理装置４０が主体となって実行する。まずステップＳ６０にて、集中管理装置４０は複数の室内機１０に非独立室内機１０が含まれているかどうかを判断する。かかる判断は、集中管理装置４０の問い合わせに各複数の室内機１０が応答することで実現される。
【０１１８】
ステップＳ６０にて非独立室内機１０が含まれていないと判断されると、ステップＳ６３にて複数の室内機１０に連番の通信用アドレスを割り当てて処理を終了する。
【０１１９】
ステップＳ６０にて非独立室内機１０が含まれていると判断されると、ステップＳ６１にて集中管理装置４０は非独立室内機１０の台数を値Ｍに代入する。
【０１２０】
次にステップＳ６２にて集中管理装置４０は全ての非独立室内機１０に対して、通信用アドレス０〜Ｍ−１をそれぞれ割り当てる。例えば非独立室内機１０は、その製造番号の小さい順に、通信用アドレス１〜Ｍ−１がそれぞれ割り当てられる。
【０１２１】
次にステップＳ６４にて、集中管理装置４０は全ての独立室内機１０に対して、通信用アドレスＭ，Ｍ＋１，・・・をそれぞれ割り当てる。
【０１２２】
次に図１１を参照して、通信用アドレスの表示方法の一例を説明する。ステップＳ７０にて、独立室内機１０は自身に割り当てられた通信用アドレスＭ，Ｍ＋１，・・・に応じて互いに異なる動作パターンで風向調整部１４およびファン１８の少なくとも何れか一つを動作させる。ステップＳ７０では、第１乃至第４の実施の形態で述べたいずれかの確認モードが採用される。
【０１２３】
次にステップＳ７１にて、通信用アドレス０が割り当てられた非独立室内機１０は例えばファン１８を動作させる。かかる動作は集中管理装置４０が通信用アドレス０の非独立室内機１０へと指令を送信することで開始される。ステップＳ７１はステップＳ７０から所定の時間が経過した後に実行される。
【０１２４】
次にステップＳ７２にて集中管理装置４０は値Ｉを０に初期化する。次にステップＳ７３にて集中管理装置４０はステップＳ７２の実行から所定の時間が経過したかどうかを判断する。ステップＳ７３にて経過していないと判断すると再びステップＳ７３が実行される。ステップＳ７３にて所定の時間が経過したと判断すると、ステップＳ７４にて通信用アドレスＩが割り当てられた非独立室内機１０は全ての風向調整部１４を動作させる。かかる動作は、通信用アドレスＩが割り当てられた非独立室内機１０へと集中管理装置４０が指令を送信することで実行される。
【０１２５】
次にステップＳ７５にて、集中管理装置４０は処理を終了させるための入力部がユーザによって操作されたかどうかを判断する。かかる判断は入力部の操作を所定期間待ちつつ実行されるとよい。ステップＳ７５にて終了のための入力部が操作されたと判断すると、処理を終了する。ステップＳ７５にて終了のための入力部が操作されていないと判断するとステップＳ７６にて集中管理装置４０は値Ｉに１を加算する。次にステップＳ７７にて集中管理装置４０は値ＩがＭ等しいかどうかを判断する。ステップＳ７７にて、値ＩがＭと等しいと判断されると再びステップＳ７２が実行され、値ＩがＭと等しくないと判断されると再びステップＳ７３が実行される。なお、ステップＳ７７にて肯定的な判断がされると、処理を終了してもよい。
【０１２６】
以上のように、独立室内機１０の動作（ステップＳ７０）と、非独立室内機１０の動作（ステップＳ７４）とが、互いに異なる時間帯に実行される。したがって、独立室内機１０については第１乃至第４の実施の形態のいずれかの動作を採用することができる。また非独立室内機１０の各々は異なる時間帯で単独で動作している。よって、非独立室内機１０についても順次に通信用アドレスを確認することができる。
【０１２７】
また最初に動作する非独立室内機１０の動作パターン（ステップＳ７１）と、それ以後に動作する非独立室内機１０の動作パターン（ステップＳ７２）とを相違させている。したがって、どの時点から非独立室内機１０の動作が開始されたかを、ユーザは認識することができる。
【０１２８】
なお、独立室内機１０や非独立室内機１０の区別に依らずに、通信用アドレスの所定の順序（例えば小さい順）に複数の室内機１０を互いに異なる時間帯で動作させてもよい。これによっても、ユーザは通信用アドレスを確認することができる。
【符号の説明】
【０１２９】
１  空気調和機
１０  室内機
１４  風向調整部
１８  ファン
【図１】
2011153762.tif 000003
【図２】
2011153762.tif 000004
【図３】
2011153762.tif 000005
【図４】
2011153762.tif 000006
【図５】
2011153762.tif 000007
【図６】
2011153762.tif 000008
【図７】
2011153762.tif 000009
【図８】
2011153762.tif 000010
【図９】
2011153762.tif 000011
【図１０】
2011153762.tif 000012
【図１１】
2011153762.tif 000013